(57)【要約】  入力操作を行う指の接近に応答して操作対象となる画像キーを拡大表示することによって、タッチ操作の誤操作を未然に防ぐ。  多機能携帯電話（１０）は、タッチパネル（１２）を操作して文字入力等が行なわれる。ユーザの人差し指（２５）が画像キー（２４）に所定の距離以内に接近したときに、人差し指（２５）の接触面サイズよりも画像キー（２４）のサイズが大きくなるように、その画像キー（２４）を中心に画像キーボード（２１）の全体が拡大される。拡大表示された画像キーボード（２１）に対してタッチ操作が行われる
2012132802.tif 000002
【特許請求の範囲】
【請求項１】
入力媒体からの入力操作を受け付ける入力領域と、この入力領域に対する入力媒体の接近及び接触の度合を示す接近値を検出する複数の検出セルとを有するタッチパネルと、
前記タッチパネルの入力領域に表示される複数個の被入力操作部を有する操作部と、
第１閾値とこれよりも小さい第２閾値との間の範囲に含まれた第１接近値が出力されている検出セルに基づいて、入力媒体の接触面サイズと接触予定位置とを推測する入力媒体サイズ推測部と、
前記入力媒体の接触面サイズと、前記被入力操作部１個のサイズとに基づき、被入力操作部の拡大率を決定する拡大率決定部と、
前記拡大率により、前記接触予定位置に最も近い被入力操作部を中心にして、前記操作部を拡大表示する表示制御部と、
前記検出セルの少なくとも１つが、前記第１閾値よりも大きい第２接近値を出力したときに、この第２接近値となっている検出セルに最も近い被入力操作部に割り当てられた指示入力を受け付ける受付部と、
を備えているタッチパネル装置。
【請求項２】
前記拡大率決定部は、前記入力媒体の接触面サイズが被入力操作部１個のサイズよりも小さい場合に、拡大後の被入力操作部１個のサイズが前記接触面サイズよりも大きくなるように拡大率を決定する請求の範囲第１項に記載のタッチパネル装置。
【請求項３】
前記拡大率決定部は、前記拡大率を任意に変更する拡大率変更機能を有する請求の範囲第２項に記載のタッチパネル装置。
【請求項４】
前記表示制御部は、前回の拡大表示からの経過時間が予め決められた時間内の場合に、前回と同じ拡大率を用いる請求の範囲第２項に記載のタッチパネル装置。
【請求項５】
タッチパネルの入力領域に表示された複数個の被操作入力部からなる操作部に入力媒体を接近及び接触させて入力操作が行われるタッチパネル装置の表示方法において、
前記入力領域に対する入力媒体の接近及び接触の度合を示す接近値を検出する接近値検出ステップと、
第１閾値とこれよりも小さい第２閾値との間の範囲に含まれた第１接近値が出力されている検出セルに基づいて、入力媒体の接触面サイズと接触予定位置とを推測する入力媒体サイズ推測ステップと、
前記入力媒体の接触面サイズと、前記被入力操作部１個のサイズとに基づき、被入力操作部の拡大率を決定する拡大率決定ステップと、
前記被入力操作部の拡大率により、前記接触予定位置に最も近い被入力操作部を中心にして、前記操作部を拡大表示する拡大表示ステップと、
前記検出セルの少なくとも１つが、前記第１閾値よりも大きい第２接近値を出力したときに、この第２接近値となっている検出セルに最も近い被入力操作部に割り当てられた指示入力を受け付ける指示入力受付ステップと、
を備えるタッチパネル表示方法。
【請求項６】
タッチパネルの入力領域に表示された複数個の被操作入力部からなる操作部に入力媒体を接近及び接触させて入力操作が行われるタッチパネル装置を制御するために、
前記入力領域に対する入力媒体の接近及び接触の度合を示す接近値を検出する接近値検出ステップと、
第１閾値とこれよりも小さい第２閾値との間の範囲に含まれた第１接近値が出力されている検出セルに基づいて、入力媒体の接触面サイズと接触予定位置とを推測する入力媒体サイズ推測ステップと、
前記入力媒体の接触面サイズと、前記被入力操作部１個のサイズとに基づき、被入力操作部の拡大率を決定する拡大率決定ステップと、
前記被入力操作部の拡大率により、前記接触予定位置に最も近い被入力操作部を中心にして、前記操作部を拡大表示する拡大表示ステップと、
前記検出セルの少なくとも１つが、前記第１閾値よりも大きい第２接近値を出力したときに、この第２接近値となっている検出セルに最も近い被入力操作部に割り当てられた指示入力を受け付ける指示入力受付ステップと、
をコンピュータに実行させるための表示プログラム。
【発明の詳細な説明】
【技術分野】
【０００１】
本発明は、多機能携帯電話等に用いられるタッチパネル装置及びその表示方法並びに表示用プログラムに関するものである。
【背景技術】
【０００２】
近年、多機能携帯電話の表示デバイスとして、タッチパネル方式の液晶ディスプレイや有機ＥＬディスプレイを組み合わせたタッチパネル装置が多く用いられている。これらのタッチパネル装置では、機械的なキーボードを備えておらず、メール等の文字入力を行う場合に、タッチパネル装置の表示画面に複数個のボタン画像からなる画像キーボードが表示される。ユーザは、表示されたボタン画像に指で触れて文字等の入力を行う。【０００３】
特許文献１に記載されたタッチパネル装置では、表示画面に画像キーボードを表示したときに、各ボタン画像のサイズが指の接触面サイズよりも小さい。このため、タッチ操作をしようとした指でボタン画像が隠され、実際にどのボタン画像に指を接触させたかが分かりづらい。そこで、ボタン画像にユーザの指が触れたときに、そのボタン画像を吹き出しのように他のボタン画像よりも大きく表示し、どのボタン画像が押されたかを確認できるようにしている。
【先行技術文献】
【特許文献】
【０００４】
【特許文献１】特表２０１０−５０３１２７
【発明の概要】
【発明が解決しようとする課題】
【０００５】
しかしながら、上記特許文献１記載のタッチパネル装置では、ボタン画像にユーザの指が触れてからボタン画像が大きく表示されるため、どのボタン画像を押したかを確認できるものの、押し間違え等の誤操作を未然に防ぐことはできなかった。【０００６】
本発明は、誤操作を防止することができるタッチパネル装置及びその表示方法並びに表示用プログラムを提供することを目的とする。
【課題を解決するための手段】
【０００７】
上記目的を達成するために、本発明のタッチパネル装置は、タッチパネルと、操作部と、入力媒体サイズ推測部と、拡大率決定部と、表示制御部と、指示入力を受け付ける受付部とを備えている。タッチパネルは、入力媒体例えば指からの入力操作を受け付ける入力領域と、この入力領域に対する入力媒体の接近及び接触の度合を示す接近値を検出する複数の検出セルとを有する。操作部は、タッチパネルの入力領域に表示される複数個の被入力操作部を有する。入力媒体サイズ推測部は、第１閾値とこれよりも小さい第２閾値との間の範囲内に含まれた第１接近値となっている検出セルに基づいて、入力媒体の接触面サイズと接触予定位置とを推測する。拡大率決定部は、入力媒体の接触面サイズと、被入力操作部１個のサイズとに基づき、被入力操作部の拡大率を決定する。表示制御部は、決定された拡大率により、接触予定位置に最も近い被入力操作部を中心にして、操作部を拡大表示する。受付部は、入力媒体が入力領域に更に接近して、少なくとも１つの検出セルから第１閾値よりも大きい第２接近値が出力されたときに、この第２接近値となっている検出セルに最も近い被入力操作部に割り当てられた指示を最終的な入力として受け付ける。【０００８】
拡大率決定部は、入力媒体の接触面サイズが被入力操作部１個のサイズよりも小さい場合に、拡大後の被入力操作部１個のサイズが接触面サイズよりも大きくなるように拡大率を決定することが好ましい。また、拡大率決定部は、ユーザの好みに応じて拡大率を変更する拡大率変更機能を有することが好ましい。さらには、前回の拡大表示からの経過時間が予め決められた時間内の場合は、前回と同じ拡大率を用いた表示制御を行ってもよい。【０００９】
本発明のタッチパネル表示方法及びプログラムは、接近値検出ステップと、入力媒体サイズ推測ステップと、拡大率決定ステップと、拡大表示ステップと、指示入力受付ステップとを有する。タッチパネルは、入力媒体からの入力操作を受け付ける入力領域と、この入力領域に対する入力媒体の接近及び接触の度合を示す接近値を検出する複数の検出セルとを有する。接近値検出ステップでは、タッチパネルの入力領域に複数の被入力操作部を有する操作部を表示した状態で、入力領域に対する入力媒体の接近及び接触に応じた接近値を各検出セルで検出する。入力媒体が入力領域に近づくと、入力媒体に接近した検出セルは、その接近値が大きくなる。入力媒体サイズ推測ステップでは、第１閾値と第２閾値との間の範囲内に含まれた第１接近値となっている検出セルに基づいて、入力媒体の接触面サイズと接触予定位置とを推測する。そして、拡大率決定ステップでは、推測された入力媒体の接触面サイズと被入力操作部１個の表示サイズとに基づいて、新たな被入力操作部の表示拡大率を決定する。拡大表示ステップでは、接触予定位置に最も近い被入力操作部を中心に、決定された拡大率のもとで操作部の画像がタッチパネルに拡大表示する。指示入力受付ステップでは、入力媒体が入力領域に更に近づいて、少なくとも１個の検出セルから第１閾値よりも大きくなった第２接近値が出力されたときに、この第２接近値となっている検出セルに最も近い被入力操作部に割り当てられた指示を最終的な指示入力として受け付ける。
【発明の効果】
【００１０】
本発明によれば、入力媒体が入力領域に実際に接触する前に、入力媒体のサイズよりも被入力操作部のサイズが大きくなるように、入力媒体に最も近い被入力操作部を中心にして操作部が拡大表示される。これより、所望の被入力操作部の選択が容易となるから、被入力操作部の誤操作を未然に防ぐことができる。
【図面の簡単な説明】
【００１１】
【図１】本発明の実施形態である多機能携帯電話において、通常サイズの画像キーボードが表示された状態を示す平面図である。
【図２】タッチパネルに人差し指が距離Ｄまで接近した状態を示す説明図である。
【図３】多機能携帯電話の電気的構成を示すブロック図である。
【図４】ユーザの人差し指よりも大きいサイズに拡大された画像キーボードを示す平面図である。
【図５】ユーザの親指よりも大きいサイズに拡大された画像キーボードを示す平面図である。
【図６】多機能携帯電話における表示更新処理の主なシーケンスを示すフローチャートである。
【発明を実施するための形態】
【００１２】
図１において、携帯電話１０の本体部１１の表側には、その大部分を占めるほどの大きなタッチパネル１２が取り付けられている。タッチパネル１２よりも下方の位置に、どのような表示状態からも各種アプリケーションのアイコンが表示された初期表示画面（図示せず）に復帰させるＴＯＰボタン１４、電話用のマイク１５が設けられている。また、タッチパネル１２よりも上方には、電話用のスピーカ１６が設けられている。
【００１３】
携帯電話１０では、タッチパネル１２を操作して文字入力等が行われる。この際に、ユーザの指がタッチパネル１２の入力領域に表示されている画像キー（被入力操作部）に所定の距離以内に接近すると、ユーザの指がタッチパネル１２の面に通常接触した時の指の接触面サイズよりも画像キーのサイズが大きくなるように、その画像キーを中心に画像キーボード（操作部）の全体が拡大表示される。これにより、拡大表示された見やすい画像キーボードで所望の画像キーを簡単、確実に選択することができる。したがって、ユーザ自身の指で画像キーが隠れてしまい、意図していない画像キーが触られるなどの誤操作を防止できる。
【００１４】
タッチパネル１２にメール作成画面１７が表示された場合、メール作成画面１７には、上から順番に、宛先記入領域１８、文面記入領域１９、入力領域２０が表示される。入力領域２０には、例えばＱＷＥＲＴＹ配列の画像キーボード２１が表示されている。初期表示では、画像キーボード２１は、ローマ字入力モードになっているが、モード切替ボタン２２に指を接触させる毎に、英文入力モード等の別の入力モードに切り替わる。左下方には、数字キー切替ボタン２３が配設され、これに指を接触させると、画像キーボード２１が画像数字キー（図示せず）に変更される。
【００１５】
メール作成画面１７を表示させた直後の画像キーボード２１は、キーボード全体を表示させるため、画像キーボード２１を構成する各画像キー２４のサイズは、仮想線で示すユーザの人差し指２５に比べてかなり小さくなっている。図示の例では、人差し指２５の先端部分でほぼ２個の画像キー２４が隠れる。
【００１６】
タッチパネル１２は、指の接触を含む接近の度合を示す接近値を検出し、その接近した位置や接触した位置を特定することができる。タッチパネル１２により検出された指の位置に応じて、その指の位置に表示されている画像（例えば、画像キー）に対応する各処理が実行される。メール作成画面１７では、宛先記入領域１８又は文面記入領域１９に指を接触させて選択してから画像キー２４に指を接触させると、その画像キー２４に対応した文字が、宛先記入領域１８又は文面記入領域１９に入力される。
【００１７】
タッチパネル１２としては、各種方式（抵抗膜方式や、赤外線方式など）があるが、本実施形態では、投影型静電容量方式を用いている。静電容量方式のタッチパネルでは、指先とタッチパネルとが接近（又は接触）した場合に、指とタッチパネルとが静電結合して、指とタッチパネルとの間の静電容量が変化する。静電容量方式のタッチパネルは、この静電容量の変化を検出するので、指とタッチパネルとの接触状態の他に、指のタッチパネルへの接近度も検出することができる。
【００１８】
また、投影型とは、タッチパネル１２内で静電容量の変化を複数箇所で同時に検出するために、指などの接触（又は接近）を検出する領域を、例えば指の太さに比較して十分に細かいピッチで碁盤の目のように区分けし、検出区画毎に独立して検出ができるようにしたものである。この検出区画は、センサとして機能するように、電極パターンが形成されている。なお、ここでは、検出区画を検出セルと称する。
【００１９】
各検出セルからは、ユーザの指の接近距離（検出される静電容量）に応じた電圧値（接近値に相当）が出力される。具体的には、ユーザの指がタッチパネル１２に接近するに従って、出力される電圧値が増加していき、例えば、図２に示すように、指が距離Ｄ（指と検出領域との距離が２〜３ｍｍ程度）まで接近すると、第２閾値の電圧値が出力される。検出セルの電圧は、指がタッチパネル１２に接近するにつれて、第１閾値を向かって増加する。そして、指がタッチパネル１２に接触すると、第１閾値を越えた電圧値が出力される。なお、非接触入力の場合には、指がタッチパネル１２に接触する直前で第１閾値を越えた電圧値を出力してもよい。
【００２０】
一方、ユーザの指が離れるに従って、出力される電圧値が減少していき、例えば、指と検出セルとの距離が２０ｍｍ以上離れると、静電容量の変化が検出できなくなり、検出セルからは電圧値「０」が出力される。
【００２１】
携帯電話１０の電気的構成を示す図３において、携帯電話１０は、タッチパネル１２の他に、操作部２７、ＣＰＵ２８、システムメモリ２９、パネル制御部３０（受付部）、無線通信部３１を備えている。これらの各部は、バス３２を介して互いに接続されている。システムメモリ２９には、携帯電話１０を制御するための各種のプログラムやデータを記憶したＲＯＭ領域と、制御の過程で生じた種々のデータを一時的に記憶するＲＡＭ領域とが設けられている。ＣＰＵ２８は、システムメモリ２９から各種のプログラムを読み出し、これを逐次処理することによって携帯電話１０の各部を統括的に制御する。
【００２２】
ＣＰＵ２８は、さらにシステムメモリ２９に格納された専用のプログラムのもとで、指などの接近に応じて各検出セルから出力される電圧から、接触面サイズ及び接触予定位置（接触予測位置）を推測する入力媒体サイズ推測部、指が接近したときに、画像キーボード２１を表示するときの拡大率を決める拡大率決定部、そして決められた拡大率のもとで、接触予定位置に最も近い画像キー２４を中心にして、画像キーボード２１の一部を拡大表示するための表示制御部として機能する。
【００２３】
ＣＰＵ２８には、操作部２７が接続されている。操作部２７は、プッシュスイッチなどの機械的な操作入力部からなり、ＴＯＰボタン１４の他、電源ボタンや消音ボタン等（図示せず）がある。操作部２７は、ユーザの操作指示を検知して、その検知結果をＣＰＵ２８に入力する。これにより、ユーザからの操作指示が操作部２７を介してＣＰＵ２８に入力される。
【００２４】
パネル制御部３０は、ＣＰＵ２８からの制御信号に応じて種々の画像データをシステムメモリ２３から読み出し、その画像データをアナログのコンポジット信号に変換してタッチパネル１２に出力する。ＣＰＵ２８は、タッチパネル１２及び操作部２７を介して入力されたユーザからの指示に応じてパネル制御部３０に制御信号を送り、種々の画面をタッチパネル１２に表示させる。無線通信部３１は、基地局との間で無線通信を行い、基地局と各種のデータを送受信することにより、携帯電話１０がインターネットに接続される。
【００２５】
図１では、タッチパネル１２による入力操作が行われていない場合の画像キーボード２１の表示の一例を示しているが、画像キーボード２１は通常の大きさでタッチパネル１２に表示されている。タッチパネル１２の入力領域２０にユーザの人差し指２５を距離Ｄよりも近くに接近させると、図４に示すように、人差し指２５が接近した画像キーボード２１の中で、人差し指２５が最初に接近した画像キー２４を中心とし、画像キーボード２１が拡大表示される。この拡大率は、画像キー２４が人差し指２５の接触面サイズの例えば１２０％となるように決められる。
【００２６】
人差し指２５がタッチパネル１２に近接すると、人指し指２５に近い検出セルは、第２閾値と第１閾値との間の範囲に含まれる第１接近値を出力する。この第１接近値を出力する検出セルの個数は、人差し指２５の太さに関係しているから、検出セルの個数を調べることで接触面サイズ（指の太さ）を知ることができる。また、検出セルの位置からタッチパネル上での接触予定位置が推測される。接触予定位置の画像キーを中心にして、決定された拡大率で画像キーボード２１が拡大表示される。この際には、同時に、文面記入領域１９が狭くなって、入力領域２０が文面記入領域１９側に拡大する。
【００２７】
接触予定位置の画像キーを中心にして画像キーボード２１が拡大されるが、拡大中心となる画像キーの決め方としては、接近値が最も高い検出セル上に表示される画像キーを選択する。又は接触予定位置の中心にある検出セル上の画像キーを選択してもよい。
【００２８】
画像キーボード２１は、一旦拡大表示されると、人差し指２５を入力領域２０から距離Ｄ以上に遠ざけない限り、その表示状態は変わらないので、その間に、人差し指２５を例えば符合２５ａに示すように、任意の画像キー２４の上に移動させることができる。なお、画像キーボード２１が通常サイズの表示に戻るのは、入力領域２０上で人差し指２５が距離Ｄ以上に遠ざかった場合の他に、人指し指２５が入力領域２０から外れた場合もある。
【００２９】
ユーザが人差し指２５の替わりに、図５に示すように、親指３５をタッチパネル１２の入力領域２０に接近させると、画像キー２４が、親指３５の接触面サイズの例えば１２０％となるように、画像キーボード２１が拡大表示される。親指３５の接触面サイズは、人差し指２５の接触面サイズよりも大きいので、その分、画像キーボード２１、すなわち画像キー２４がより大きく拡大され、親指３５による入力操作においても、押し間違えを防ぐことができる。
【００３０】
なお、図示していないが、例えば、人差し指２５よりも先端部が小さい小指を用いた場合も同様に、画像キー２４が、小指の接触面サイズの例えば１２０％となるように、画像キーボード２１が拡大表示される。このとき、画像キーボード２１は、当然ながら、図４に示す画像キーボード２１よりも小さいサイズに表示される。
【００３１】
このように構成された携帯電話１０のＣＰＵ２８により実行される表示更新処理（表示方法、表示用プログラム）について、図６に示すフローチャートを参照して説明する。この図６で「ＳＴ」はステップを表している。表示更新処理は、タッチパネル１２による入力操作が行われる際に、ユーザの指が画像キー２４に接近、すなわち接触する前に、その画像キーボード２１を拡大表示する処理であり、携帯電話１０の主電源が投入されてから主電源が遮断されるまで繰り返し実行される処理である。
【００３２】
この表示更新処理では、まず、システムメモリ２９のＲＡＭ領域をクリアする（ＳＴ１）。次に、タッチパネル１２の入力領域２０に配設されている全ての検出セルから出力電圧値を取得する（ＳＴ２）。
【００３３】
そして、電圧値が第２閾値を超えている検出セルがあるかどうかを判定し（ＳＴ３）、電圧値が第２閾値を超えている検出セルがある場合は（ＳＴ３でＹＥＳ）、その検出セルの数から、距離Ｄ以内に接近しているユーザの指の接触面サイズ（指のサイズ）を推測する（ＳＴ４）。また、このときに、検出セルの位置から指の接触予定位置を推測する。
【００３４】
一方、電圧値が第２閾値を超えている検出セルがない場合は（ＳＴ３でＮＯ）、ユーザの指がタッチパネル１２に接近していないので、ＳＴ４〜ＳＴ７の各処理をスキップしてＳＴ８の処理へ移行する。
【００３５】
次に、指の接触面サイズから、その１２０％のサイズになるように画像キーボード２１の拡大率を決定する。また、指の接触予定位置に基づいて、指に最も近い画像キー２４を特定する。この特定された画像キーを中心にして、決定された拡大率で、画像キーボード２１を拡大表示する（ＳＴ５）。このとき、入力領域２０を画像キーボード２１の拡大率に応じて文面記入領域１９側にはみ出すように拡げる。
【００３６】
そして、電圧値が第１閾値を超えている検出セルがあるかを判定する（ＳＴ６）。電圧値が第１閾値を超えている検出セルがない場合は（ＳＴでＮＯ）、画像キーボード２１が拡大表示されているが、ユーザの指がまだ画像キー２４に接触していない場合である。この場合には、画像キーボード２１が拡大表示された状態で、ＳＴ２〜ＳＴ６の各処理が繰り返される。また、この表示中には、拡大表示された画像キーボード２１上で自由に指を移動して、所望の画像キー２４を選択することができる。
【００３７】
電圧値が第１閾値を超えている検出セルがある場合は（ＳＴ６でＹＥＳ）、ユーザの指が拡大表示されている画像キー２４に接触しているから、システムメモリ２９に記憶されているキー情報が示す画像キー２４に対応する処理が実行される（ＳＴ７）。例えば、画像キー２４に対応する処理が文字「Ｊ」を入力することであれば、文面記入領域１９のカーソル位置に文字「Ｊ」が入力される。なお、第１閾値を超えている検出セルが複数個ある場合は、画像キーボード２１の拡大表示と同様に、例えばその中心となる検出セルに最も近い画像キー、すなわちこの検出セル上の画像キーが選択されたものと判定すればよい。
【００３８】
画像キー２４に対応する処理が実行されると、画像キーボード２１が通常のサイズ（図１参照）で表示される（ＳＴ８）。なお、このＳＴ８の処理は、ユーザの指が画像キー２４に接触して、その画像キー２４に対応する処理が実行された場合と、ユーザの指がタッチパネル１２から距離Ｄ以上に離れた場合（又は、接近していない場合）とで実行される。
【００３９】
画像キーボード２１が通常のサイズで表示された後、所定の時間、例えば１分間が経過するまでは（ＳＴ９でＮＯ）、検出セルから出力された電圧値を取得し（ＳＴ１０）、この電圧値が第２閾値を超えている検出セルがあるか否かを判定する（ＳＴ１１）。電圧値が第２閾値を超えている検出セルがある場合に（ＳＴ１１でＹＥＳ）、指の接触面サイズを推測することなく、前回と同じサイズに画像キーボード２１を拡大する（ＳＴ１２）。この場合も指の接触予定位置から指に最も近い画像キー２４を特定し、この特定された画像キーを中心にして画像キーボード２１を拡大する。なお、電圧値が第２閾値を超えている検出セルがない場合に（ＳＴ１１でＮＯ）、画像キーボード２１を拡大することなく、通常サイズのままとする（ＳＴ８）。
【００４０】
画像キーボード２１が通常のサイズで表示された後、所定の時間、例えば１分間が経過した後は（ＳＴ９でＹＥＳ）、システムメモリのＲＡＭ領域がクリアされ（ＳＴ１）、上述の同じシーケンスが繰り返される。
【００４１】
上記表示更新処理により、タッチパネル１２による入力操作が行われる際に、ユーザの指が入力領域２０に接近すると、指の接触面サイズに応じたサイズに画像キーボード２１が拡大され、その状態で任意の画像キー２４を選ぶことができる。これにより、ユーザが意図していない画像キー２４に、指が接触する等の誤操作を未然に防ぎ、確実な入力操作を行なうことができる。
【００４２】
上記実施形態では、検出セルの数から指の接触面サイズを取得し、これに基づいて画像キーボードを拡大するようにしたが、この他に、ユーザの各指（人差し指や親指等）のサイズを予め測定して、メモリに記憶させておいてもよい。この場合には、所定以上の電圧値が出力される検出セルの個数と、各指の接触面サイズとの対応関係に基づいて、タッチパネルに接近している指の種類を特定し、その指の種類に応じて拡大率を決定して、画像キーボードを拡大することできる。
【００４３】
また、タッチパネルとしては、投影型静電容量方式の他に、液晶の各画素内に液晶の駆動回路と一緒に光センサ回路を内蔵した光センサ方式のものや、赤外線イメージセンサ方式のもの等を用いてもよい。
【００４４】
上記実施形態では、画像キーのサイズが指の接触面サイズの１２０％となるように画像キーボードを拡大している。この拡大は、ユーザが快適にキー入力可能なサイズであればよく、例えば、指の接触面サイズの５０％〜１５０％で適宜変更してもよい。また、ＣＰＵ（拡大率変更機能を有する拡大率決定部）は、タッチパネルに拡大率変更メニューを表示し、基本の拡大率１２０％では違和感がある場合に、各ユーザの好みに応じて、拡大率１２０％を０．８〜１．２倍程度の範囲で修正可能であることが好ましい。
【００４５】
入力媒体としては、ユーザの指の他に、接触ペンでもよい。この場合、接触ペンの接触面サイズが画像キーのサイズよりも小さい場合に、拡大後の画像キーのサイズが接触ペンの接触面サイズよりも大きくなるように拡大率を決定する。
【００４６】
上記実施形態で示したように、本発明は、プログラムの形態、さらにはプログラムを記憶する記憶媒体にも及ぶことはもちろんである。
【符号の説明】
【００４７】
１０  多機能携帯電話
１２  タッチパネル
２０  入力領域
２１  画像キーボード
２４  画像キー
２８  ＣＰＵ
【図１】
2012132802.tif 000003
【図２】
2012132802.tif 000004
【図３】
2012132802.tif 000005
【図４】
2012132802.tif 000006
【図５】
2012132802.tif 000007
【図６】
2012132802.tif 000008
【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
入力媒体からの入力操作を受け付ける入力領域と、この入力領域に対する入力媒体の接近及び接触の度合を示す接近値を検出する複数の検出セルとを有するタッチパネルと、
前記タッチパネルの入力領域に表示される複数個の被入力操作部を有する操作部と、
第１閾値とこれよりも小さい第２閾値との間の範囲に含まれた第１接近値が出力されている検出セルに基づいて、入力媒体の接触面サイズと接触予定位置とを推測する入力媒体サイズ推測部と、
前記入力媒体の接触面サイズと、前記被入力操作部１個のサイズとに基づいて算出された拡大率を、予め設定された範囲内の比率で調整して前記被入力操作部の拡大率を決定する拡大率決定部と、
前記拡大率決定部で決定された拡大率により、前記接触予定位置に最も近い被入力操作部を中心にして前記操作部を拡大表示する表示制御部であって、前回の拡大表示からの経過時間が予め決められた時間内の場合に、前記拡大率決定部が前回決定した拡大率と同じ拡大率を用いる表示制御部と、
前記検出セルの少なくとも１つが、前記第１閾値よりも大きい第２接近値を出力したときに、この第２接近値となっている検出セルに最も近い被入力操作部に割り当てられた指示入力を受け付ける受付部と、
を備えているタッチパネル装置。
【請求項２】
前記拡大率決定部は、前記入力媒体の接触面サイズが被入力操作部１個のサイズよりも小さい場合に、拡大後の被入力操作部１個のサイズが前記接触面サイズよりも大きくなるように拡大率を決定する請求の範囲第１項に記載のタッチパネル装置。
【請求項３】
（削除）
【請求項４】
（削除）
【請求項５】
タッチパネルの入力領域に表示された複数個の被操作入力部からなる操作部に入力媒体を接近及び接触させて入力操作が行われるタッチパネル装置の表示方法において、
前記入力領域に対する入力媒体の接近及び接触の度合を示す接近値を検出する接近値検出ステップと、
第１閾値とこれよりも小さい第２閾値との間の範囲に含まれた第１接近値が出力されている検出セルに基づいて、入力媒体の接触面サイズと接触予定位置とを推測する入力媒体サイズ推測ステップと、
前記入力媒体の接触面サイズと、前記被入力操作部１個のサイズとに基づき、被入力操作部の基本の拡大率を算出した後、前記基本の拡大率を予め設定された範囲内の比率で調整して被入力操作部の拡大率を決定する拡大率決定ステップと、
決定された拡大率で前記接触予定位置に最も近い被入力操作部を中心にして前記操作部を拡大表示し、前回の拡大表示からの経過時間が予め決められた時間内である場合には前回の拡大率と同じ拡大率で前記操作部を拡大表示する拡大表示ステップと、
前記検出セルの少なくとも１つが、前記第１閾値よりも大きい第２接近値を出力したときに、この第２接近値となっている検出セルに最も近い被入力操作部に割り当てられた指示入力を受け付ける指示入力受付ステップと、
を備えるタッチパネル表示方法。
【請求項６】
タッチパネルの入力領域に表示された複数個の被操作入力部からなる操作部に入力媒体を接近及び接触させて入力操作が行われるタッチパネル装置を制御するために、
前記入力領域に対する入力媒体の接近及び接触の度合を示す接近値を検出する接近値検出ステップと、
第１閾値とこれよりも小さい第２閾値との間の範囲に含まれた第１接近値が出力されている検出セルに基づいて、入力媒体の接触面サイズと接触予定位置とを推測する入力媒体サイズ推測ステップと、
前記入力媒体の接触面サイズと、前記被入力操作部１個のサイズとに基づき、被入力操作部の基本の拡大率を算出した後、前記基本の拡大率を予め設定された範囲内の比率で調整して被入力操作部の拡大率を決定する拡大率決定ステップと、
決定された拡大率で前記接触予定位置に最も近い被入力操作部を中心にして前記操作部を拡大表示し、前回の拡大表示からの経過時間が予め決められた時間内である場合には前回の拡大率と同じ拡大率で前記操作部を拡大表示する拡大表示ステップと、
前記検出セルの少なくとも１つが、前記第１閾値よりも大きい第２接近値を出力したときに、この第２接近値となっている検出セルに最も近い被入力操作部に割り当てられた指示入力を受け付ける指示入力受付ステップと、
をコンピュータに実行させるための表示プログラム。
【手続補正２】
【補正対象書類名】明細書
【補正対象項目名】０００２
【補正方法】変更
【補正の内容】
【０００２】
画像を押したかを確認できるものの、押し間違え等の誤操作を未然に防ぐことはできなかった。
［０００６］
本発明は、誤操作を防止することができるタッチパネル装置及びその表示方法並びに表示用プログラムを提供することを目的とする。
課題を達成するための手段
［０００７］
上記目的を達成するために、本発明のタッチパネル装置は、タッチパネルと、操作部と、入力媒体サイズ推測部と、拡大率決定部と、表示制御部と、指示入力を受け付ける受付部とを備えている。タッチパネルは、入力媒体例えば指からの入力操作を受け付ける入力領域と、この入力領域に対する入力媒体の接近及び接触の度合を示す接近値を検出する複数の検出セルとを有する。操作部は、タッチパネルの入力領域に表示される複数個の被入力操作部を有する。入力媒体サイズ推測部は、第１閾値とこれよりも小さい第２閾値との間の範囲内に含まれた第１接近値となっている検出セルに基づいて、入力媒体の接触面サイズと接触予定位置とを推測する。拡大率決定部は、入力媒体の接触面サイズと、被入力操作部１個のサイズとに基づいて算出された拡大率を、予め設定された範囲内の比率で調整して前記被入力操作部の拡大率を決定する。表示制御部は、決定された拡大率により、接触予定位置に最も近い被入力操作部を中心にして操作部を拡大表示するが、前回の拡大表示からの経過時間が予め決められた時間内の場合には、前記拡大率決定部が前回決定した拡大率と同じ拡大率を用いる。受付部は、入力媒体が入力領域にさらに接近して、少なくとも１つの検出セルから第１閾値よりも大きい第２接近値が出力されたときに、この第２接近値となっている検出セルに最も近い被入力操作部に割り当てられた指示を最終的な入力として受け付ける。
［０００８］
拡大率決定部は、入力媒体の接触面サイズが被入力操作部１個のサイズよりも小さい場合に、拡大後の被入力操作部１個のサイズが接触面サイズよりも大きくなるように拡大率を決定することが好ましい。また、拡大率決定部は、ユーザの好みに応じて拡大率を変更する拡大率変更機能を有することが好ましい。
［０００９］
本発明のタッチパネル表示方法及びプログラムは、接近値検出ステップと
【手続補正３】
【補正対象書類名】明細書
【補正対象項目名】０００３
【補正方法】変更
【補正の内容】
【０００３】
、入力媒体サイズ推測ステップと、拡大率決定ステップと、拡大表示ステップと、指示入力受付ステップとを有する。タッチパネルは、入力媒体からの入力操作を受け付ける入力領域と、この入力領域に対する入力媒体の接近及び接触の度合を示す接近値を検出する複数の検出セルとを有する。接近値検出ステップでは、タッチパネルの入力領域に複数の被入力操作部を有する操作部を表示した状態で、入力領域に対する入力媒体の接近及び接触に応じた接近値を各検出セルで検出する。入力媒体が入力領域に近づくと、入力媒体に接近した検出セルは、その接近値が大きくなる。入力媒体サイズ推測ステップでは、第１閾値と第２閾値との間の範囲内に含まれた第１接近値となっている検出セルに基づいて、入力媒体の接触面サイズと接触予定位置とを推測する。そして、拡大率決定ステップでは、推測された入力媒体の接触面サイズと被入力操作部１個の表示サイズとに基づいて、新たな被入力操作部の基本の拡大率を算出した後、この基本の拡大率を予め設定された範囲内の比率で調整して被入力操作部の表示拡大率を決定する。拡大表示ステップでは、接触予定位置に最も近い被入力操作部を中心に、決定された拡大率のもとで操作部の画像をタッチパネルに拡大表示する。指示入力受付ステップでは、入力媒体が入力領域に更に近づいて、少なくとも１個の検出セルから第１閾値よりも大きくなった第２接近値が出力されたときに、この第２接近値となっている検出セルに最も近い被入力操作部に割り当てられた指示がを最終的な指示入力として受け付ける。
発明の効果
［００１０］
本発明によれば、入力媒体が入力領域に実際に接触する前に、入力媒体のサイズよりも被入力操作部のサイズが大きくなるように、入力媒体に最も近い被入力操作部を中心にして操作部が拡大表示される。これより、所望の被入力操作部の選択が容易となるから、被入力操作部の誤操作を未然に防ぐことができる。また、拡大率は予め設定された範囲内の比率で調整可能で、しかも使用中に拡大率が短時間で頻繁に変更されることがないようにしているから、安定した指示入力操作を行うことができる。
図面の簡単な説明
［００１１］
［図１］本発明の実施携帯である多機能携帯電話において、通常サイズの画像キーボードが表示された状態を示す平面図である。
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
入力媒体からの入力操作を受け付ける入力領域と、この入力領域に対する入力媒体の接近及び接触の度合を示す接近値を検出する複数の検出セルとを有するタッチパネルと、
前記タッチパネルの入力領域に表示される複数個の入力要素を有する入力部と、
第１閾値とこれよりも小さい第２閾値との間の範囲に含まれた第１接近値が出力されている検出セルに基づいて、入力媒体の接触面サイズと接触予定位置とを推測する入力媒体サイズ推測部と、
前記入力媒体の接触面サイズと、前記入力要素１個のサイズとに基づいて算出された基本の拡大率を、予め設定された範囲内の比率で調整して、前記入力要素に対する今回の拡大率を決定する拡大率決定部と、
拡大率により、前記接触予定位置に最も近い入力要素を中心にして、前記入力部を拡大表示する表示制御部であって、前回の拡大表示からの経過時間が予め決められた時間内の場合に、前記今回の拡大率の代わりに、前回の拡大率と同じ拡大率を用いる表示制御部と、
前記検出セルの少なくとも１つが、前記第１閾値よりも大きい第２接近値を出力したときに、この第２接近値となっている検出セルに最も近い入力要素に割り当てられた指示入力を受け付ける受付部と、
を備えているタッチパネル装置。
【請求項２】
前記拡大率決定部は、前記入力要素１個のサイズが前記入力媒体の接触面サイズよりも小さい場合に、拡大後の入力要素１個のサイズが前記接触面サイズよりも大きくなるように拡大率を決定する請求の範囲第１項に記載のタッチパネル装置。
【請求項３】
タッチパネルの入力領域に表示された複数個の入力要素からなる入力部に入力媒体を接近及び接触させて入力操作が行われるタッチパネル装置の表示方法において、
前記入力領域に対する入力媒体の接近及び接触の度合を示す接近値を検出する接近値検出ステップと、
第１閾値とこれよりも小さい第２閾値との間の範囲に含まれた第１接近値が出力されている検出セルに基づいて、入力媒体の接触面サイズと接触予定位置とを推測する入力媒体サイズ推測ステップと、
前記入力媒体の接触面サイズと、前記入力要素１個のサイズとに基づき、入力要素の基本の拡大率を算出した後、前記基本の拡大率を予め設定された範囲内の比率で調整して、入力要素に対して今回の拡大率を決定する拡大率決定ステップと、
拡大率により、前記接触予定位置に最も近い入力要素を中心にして前記入力部を拡大表示し、前回の拡大表示からの経過時間が予め決められた時間内である場合には、前記今回の拡大率に代えて、前回の拡大率と同じ拡大率で前記入力部を拡大表示する拡大表示ステップと、
前記検出セルの少なくとも１つが、前記第１閾値よりも大きい第２接近値を出力したときに、この第２接近値となっている検出セルに最も近い入力要素に割り当てられた指示入力を受け付ける指示入力受付ステップと、
を備えるタッチパネル表示方法。
【請求項４】
タッチパネルの入力領域に表示された複数個の入力要素からなる入力部に入力媒体を接近及び接触させて入力操作が行われるタッチパネル装置を制御するために、
前記入力領域に対する入力媒体の接近及び接触の度合を示す接近値を検出する接近値検出ステップと、
第１閾値とこれよりも小さい第２閾値との間の範囲に含まれた第１接近値が出力されている検出セルに基づいて、入力媒体の接触面サイズと接触予定位置とを推測する入力媒体サイズ推測ステップと、
前記入力媒体の接触面サイズと、前記入力要素１個のサイズとに基づき、入力要素の基本の拡大率を算出した後、前記基本の拡大率を予め設定された範囲内の比率で調整して、入力要素に対して今回の拡大率を決定する拡大率決定ステップと、
拡大率により、前記接触予定位置に最も近い入力要素を中心にして前記入力部を拡大表示し、前回の拡大表示からの経過時間が予め決められた時間内である場合には、前記今回の拡大率に代えて、前回の拡大率と同じ拡大率で前記入力部を拡大表示する拡大表示ステップと、
前記検出セルの少なくとも１つが、前記第１閾値よりも大きい第２接近値を出力したときに、この第２接近値となっている検出セルに最も近い入力要素に割り当てられた指示入力を受け付ける指示入力受付ステップと、
をコンピュータに実行させるための表示プログラム。
【手続補正２】
【補正対象書類名】明細書
【補正対象項目名】０００７
【補正方法】変更
【補正の内容】
【０００７】
上記目的を達成するために、本発明のタッチパネル装置は、タッチパネルと、入力部と、入力媒体サイズ推測部と、拡大率決定部と、表示制御部と、支持入力を受け付ける受付部とを備えている。タッチパネルは、入力媒体例えば指からの入力操作を受け付ける入力領域と、この入力領域に対する入力媒体の接近及び接触の度合を示す接近値を検出する複数の検出セルとを有する。入力部は、タッチパネルの入力領域に表示される複数個の入力要素を有する。入力媒体サイズ推測部は、第１閾値とこれよりも小さい第２閾値との間の範囲に含まれた第１接近値が出力されている検出セルに基づいて、入力媒体の接触面サイズと接触予定位置とを推測する。拡大率決定部は、入力媒体の接触面サイズと、入力要素１個のサイズとに基づいて算出された基本の拡大率を、予め設定された範囲内の比率で調整して、入力要素に対する今回の拡大率を決定する。表示制御部は、拡大率により、接触予定位置に最も近い入力要素を中心にして、入力部を拡大表示する表示制御部であって、前回の拡大表示からの経過時間が予め決められた時間内の場合に、今回の拡大率の代わりに、前回の拡大率と同じ拡大率を用いる。受付部は、検出セルの少なくとも１つが、第１閾値よりも大きい第２接近値を出力したときに、この第２接近値となっている検出セルに最も近い入力要素に割り当てられた指示入力を受け付ける。
【手続補正３】
【補正対象書類名】明細書
【補正対象項目名】０００８
【補正方法】変更
【補正の内容】
【０００８】
拡大率決定部は、入力要素１個のサイズが入力媒体の接触面サイズよりも小さい場合に、拡大後の入力要素１個のサイズが接触面サイズよりも大きくなるように拡大率を決定することが好ましい。
【手続補正４】
【補正対象書類名】明細書
【補正対象項目名】０００９
【補正方法】変更
【補正の内容】
【０００９】
本発明のタッチパネル表示方法及びプログラムは、接近値検出ステップと、入力媒体サイズ推定ステップと、拡大率決定ステップと、拡大表示ステップと、指示入力受付ステップとを有する。タッチパネルは、入力媒体からの入力操作を受け付ける入力領域と、この入力領域に対する入力媒体の接近及び接触の度合を示す接近値を検出する複数の検出セルとを有する。接近値検出ステップでは、タッチパネルの入力領域に複数の入力要素を有する入力部を表示した状態で、入力領域に対する入力媒体の接近及び接触の度合を示す接近値を各検出セルで検出する。入力媒体が入力領域に近づくと、入力媒体に接近した検出セルは、その接近値が大きくなる。入力媒体サイズ推測ステップでは、第１閾値とこれよりも小さい第２閾値との間の範囲に含まれた第１接近値が出力されている検出セルに基づいて、入力媒体の接触面サイズと接触予定位置とを推測する。そして、拡大率決定ステップでは、推測された入力媒体の接触面サイズと入力要素１個のサイズとに基づいて、新たな入力要素の基本の拡大率を算出した後、この基本の拡大率を予め設定された範囲内の比率で調整して、入力要素に対して今回の拡大率を決定する。拡大表示ステップでは、拡大率により、接触予定位置に最も近い入力要素を中心にして入力部を拡大表示し、前回の拡大表示からの経過時間が予め決められた時間内である場合には、今回の拡大率に代えて、前回の拡大率と同じ拡大率で入力部を拡大表示する。指示入力受付ステップでは、入力媒体が入力領域に更に近づいて、検出セルの少なくとも１つが、第１閾値よりも大きい第２接近値が出力されたときに、この第２接近値となっている検出セルに最も近い入力要素に割り当てられた指示入力を最終的な指示入力として受け付ける。
【手続補正５】
【補正対象書類名】明細書
【補正対象項目名】００１０
【補正方法】変更
【補正の内容】
【００１０】
本発明によれば、入力媒体が入力領域に実際に接触する前に、入力媒体のサイズよりも入力要素のサイズが大きくなるように、入力媒体に最も近い入力要素を中心にして入力部が拡大表示される。これにより、所望する入力要素の選択が容易となるから、入力要素の誤操作を未然に防ぐことができる。また、拡大率は予め設定された範囲内の比率で調整可能で、しかも使用中に拡大率が短時間で頻繁に変更されることがないようにしているから、安定した指示入力を行うことができる。
【手続補正６】
【補正対象書類名】明細書
【補正対象項目名】００１３
【補正方法】変更
【補正の内容】
【００１３】
携帯電話１０では、タッチパネル１２を操作して文字入力等が行われる。この際に、ユーザの指がタッチパネル１２の入力領域に表示されている画像キー（入力要素）に所定の距離以内に接近すると、ユーザの指がタッチパネル１２の面に通常接触した時の指の接触面サイズよりも画像キーのサイズが大きくなるように、その画像キーを中心に画像キーボード（入力部）の全体が拡大表示される。これにより、拡大表示された見やすい画橡キーボードで所望の画像キーを簡単、確実に選択することができる。したがって、ユーザ白身の指で画像キーが隠れてしまい、意図していない画像キーが触られるなどの誤操作を防止できる。
【国際調査報告】
2012132802.tif 000009
2012132802.tif 000010
2012132802.tif 000011